(57)【要約】【課題】前後に間隔をとりつつ連続移送動作による大量かつ高速の入出庫処理が可能となるストレージコンベア式倉庫システムを提供する。【解決手段】ストレージコンベア式倉庫システム１は、移送終端から順に保管対象物を収納するストレージコンベア３と取出手段とを備えて構成され、この取出手段は、ストレージコンベア３に沿って移動可能な往復移動機構１３を備えて選択した保管対象物Ｗをその側方に押し出す移動型押出機構５と、この移動型押出機構５によって側方に排出された保管対象物Ｗを受けてストレージコンベア３の側方で並列送出する並送コンベア７とを備える。【選択図】　　　図１
2004123244.tif 000002
【特許請求の範囲】
【請求項１】
個別に送り動作可能な複数の移送機構を直列して連係制御により移送終端から順に保管対象物を収納するストレージコンベアと、
このストレージコンベア上に収納された保管対象物を取出す取出手段とを備えるストレージコンベア式倉庫システムにおいて、
上記取出手段は、ストレージコンベアに沿って移動可能な往復移動機構を備えて選択した保管対象物をその側方に押し出す移動型押出機構と、
この移動型押出機構によって側方に排出された保管対象物を受けてストレージコンベアの側方で並列送出する並送コンベアとを備えてなることを特徴とするストレージコンベア式倉庫システム。
【請求項２】
前記ストレージコンベアには、その移送先端から保管対象物を受けて所定位置まで搬出する搬出コンベアを備えることを特徴とする請求項１記載のストレージコンベア式倉庫システム。
【請求項３】
前記並送コンベアの送出先には一群の保管対象物の配列を整える整列処理部を設け、この整列処理部は、整列処理に必要な長さに亘り、個別に送り動作可能な複数の移送機構を直列して連係制御により奥から順に保管対象物を収納する整列用ストレージコンベアと、この整列用ストレージコンベア上の選択した保管対象物をその側方に押し出す整列用押出機構と、この整列用押出機構によって側方に排出された保管対象物を受けて整列用ストレージコンベアの側方で並列送出する整列用並送コンベアとを備えてなることを特徴とする請求項１記載のストレージコンベア式倉庫システム。
【請求項４】
前記移動型押出機構は、その両側方に独立して押し出し動作する複数の押出機構を備えるとともに、移動型押出機構を挟む反対側に第２のストレージコンベアとその排出用の第２の並送コンベアを配置したことを特徴とする請求項１記載のストレージコンベア式倉庫システム。
【発明の詳細な説明】
【０００１】
【発明の属する技術分野】
本発明は、ストレージコンベアと取出手段とからなるストレージコンベア式倉庫システムに関し、特に、前後に間隔をとりつつ連続移送動作による大量かつ高速の入出庫処理が可能となるストレージコンベア式倉庫システムに関する。
【０００２】
【従来の技術】
【特許文献１】特開２００１−３２０９５９号公報
【特許文献２】特開平５−３３８７７９号公報
例えば花卉の仕分け時の取扱いについては、花卉の茎束相互間にスペースを空けて接触を避けて移送する必要があるので、特許文献１のように、茎束を寝かせて横姿勢で取扱う例があるが、構成が複雑で専用の移送機と広いスペースが避けられない。これに対し、茎束をバケットに立挿し、縦姿勢で取扱う場合は、スタッカ式倉庫システムを適用することができる。スタッカ式倉庫システムは、出し入れ用の移送機と保管棚とから構成され、移送機の往復動作によって入出庫口と保管棚との間で保管対象物を入出庫することができる。しかし、スタッカ式倉庫は、移送機を介して保管対象物を個別に取扱うことから、入出庫の個々の荷扱いの都度、移送機の往復時間を要し、また、１回の荷扱いが終わるまでの間は、他の荷扱いをすることができないので、高速大量の入出庫処理には適しない。高速化のためには移動スピードを上げなければならず、特に花卉搬送のように軟弱なものには適さない。
特許文献２は倉出し装置の例であり、出庫対象物をコンベア上で一時的に留め置くことにより、前後に間隔をとりつつ連続出庫を可能とするものである。
【０００３】
【発明が解決しようとする課題】
しかしながら、上記倉出し装置は、連続出庫される出庫対象物の取り出しを目的とするものであるから、これを用いても保管棚への入庫処理、選択取出しすることができない。
【０００４】
本発明の目的は、前後に間隔をとりつつ連続移送動作による大量かつ高速の入出庫処理が可能となるストレージコンベア式倉庫システムを提供することにある。
【０００５】
【課題を解決するための手段】
上記課題を解決するために、請求項１に係る発明は、個別に送り動作可能な複数の移送機構を直列して連係制御により移送終端から順に保管対象物を収納するストレージコンベアと、このストレージコンベア上に収納された保管対象物を取出す取出手段とを備えるストレージコンベア式倉庫システムにおいて、上記取出手段は、ストレージコンベアに沿って移動可能な往復移動機構を備えて選択した保管対象物をその側方に押し出す移動型押出機構と、この移動型押出機構によって側方に排出された保管対象物を受けてストレージコンベアの側方で並列送出する並送コンベアとを備えてなることを特徴とする。
【０００６】
上記ストレージコンベア式倉庫システムでは、ストレージコンベアに受けた保管対象物は、直列するそれぞれの移送機構を連係制御することによりストレージコンベア上で奥側の移送集端から順に保管対象物が収納される。また、移動型押出機構によりストレージコンベア上の目的物を移動選択して排出動作させることにより、ストレージコンベア上にある保管対象物がその側方に排出され、並送コンベアによって送り出される。
【０００７】
請求項２に係る発明は、前記ストレージコンベアには、その移送先端から保管対象物を受けて所定位置まで搬出する搬出コンベアを備えることを特徴とする。このストレージコンベア式倉庫システムでは、上記ストレージコンベア上に収納されている保管対象物は、移送終端部の移送機構を含めて送り動作させることにより搬出コンベア側に移送され、これを搬出コンベアで受けることにより取出すことができる。
【０００８】
請求項３に係る発明は、前記並送コンベアの送出先には一群の保管対象物の配列を整える整列処理部を設け、この整列処理部は、整列処理に必要な長さに亘り、個別に送り動作可能な複数の移送機構を直列して連係制御により奥から順に保管対象物を収納する整列用ストレージコンベアと、この整列用ストレージコンベア上の選択した保管対象物をその側方に押し出す整列用押出機構と、この整列用押出機構によって側方に排出された保管対象物を受けて整列用ストレージコンベアの側方で並列送出する整列用並送コンベアとを備えてなることを特徴とする。このストレージコンベア式倉庫システムでは、上記並送コンベアから受け渡された一群の保管対象物は、整列用ストレージコンベア上で整列処理に必要な長さに及ぶ範囲に収納され、これを整列用押出機構により選択して整列用並送コンベア上に排出することにより、一群の保管対象物は、所定の配列順序で整列される。
【０００９】
請求項４に係る発明は、前記移動型押出機構は、その両側方に独立して押し出し動作する複数の押出機構を備えるとともに、移動型押出機構を挟む反対側に第２のストレージコンベアとその排出用の第２の並送コンベアを配置したことを特徴とする。このストレージコンベア式倉庫システムでは、２列配置のストレージコンベア上にある出庫するべき保管対象物は、共用の移動型押出機構により選択排出され、それぞれの並送コンベアによって送出される。
【００１０】
【発明の効果】
本発明のストレージコンベア式倉庫システムは以下の効果を奏する。
上記ストレージコンベア式倉庫システムは、ストレージコンベアにより連続的に入庫することができ、また、移動型押出機構と並送コンベアとにより取出手段を構成し、ストレージコンベアから選択したものを取出すようにしたことにより、入庫と同時に、連続的に出庫することができる。したがって、従来の出し入れ用の搬送機を備えて保管棚との間で個別に入出庫を行うスタッカ式倉庫と較べ、連続移送動作による大量かつ高速の入出庫処理が可能となる。
【００１１】
前記ストレージコンベアの移送終端に搬出コンベアを備えた場合は、その保管対象物を搬出コンベアで受けることにより取出すことができる。したがって、移動型押出機構または並送コンベアが使用できない場合においても、生鮮物等の庫内滞留を招くことなく、確実に保管対象物を取出すことができる。
【００１２】
前記並送コンベアの送出先に整列処理部を設けて所定の配列順序で整列するようにした場合は、一群の保管対象物の高速出庫処理において、車載搬送等の出荷に適した配列に整えることができる。
【００１３】
前記移動型押出機構を２列配置のストレージコンベアで共用するようにした場合は、ストレージコンベアそれぞれについて個別の移動型押出機を要することなく選択出庫することができるので、多数のストレージコンベアを並列配置した広い収納エリアをカバーする取出手段を簡易に構成することができる。
【００１４】
【発明の実施の形態】
上記技術思想に基づき具体的に構成された実施の形態について以下に図面を参照しつつ本発明の穀粒乾燥機について説明する。
【００１５】
発明に係るストレージコンベア式倉庫システムのストレージ部の平面図を図１に示す。図１において、ストレージコンベア式倉庫システム１は、ストレージコンベア３と、その取出手段としての移動型押出機構５と並送コンベア７により基本単位を構成し、これを組み合わせて構成したものであり、その前後に入庫口コンベヤ９ａによる供給ラインと出庫口コンベア９ｂによる排出ラインを接続する。
【００１６】
ストレージコンベア３は、入庫口コンベヤ９ａと出庫口コンベア９ｂとの間に配置され、その機能構成側面図を図２に示すように、個別に出口方向に送り動作可能なローラコンベヤ等の複数の移送機構１１…を直列して構成する。各移送機構１１は、出庫口コンベア９ｂと接する移送端部の移送機構１１ａを除き、入側隣接部（図の左側）から保管対象物Ｗを受けた時に出側隣接部（図の右側）が空いていれば、同出側隣接部に保管対象物Ｗを送るように隣接部相互間で受け入れ動作と送り出し動作を連係して行うことにより、最奥の移送終端部の移送機構１１ａから順に保管対象物Ｗを収納する入庫保管手段を構成する。
【００１７】
この場合、各移送機構１１の単位長さＬを保管対象物の全長を越える長さに構成することにより、保管対象物Ｗの相互間に一定の隙間を確保することができることから、移送および保管の際に保管対象物Ｗ相互の接触を回避することができる。したがって、相互間の隙間を要する、例えば複数本の花卉を立ち姿で収容支持したバケットの搬送に適用することができる。
【００１８】
移動型押出機構５は、図３のストレージ部の要部拡大平面図（ａ）とそのＢ矢視図（ｂ）に示すように、ストレージコンベア３に沿って移動可能な往復移動機構１３と、選択した保管対象物Ｗをストレージコンベア３からその側方に押し出す電動シリンダ等によるプッシュアーム１５を備える。ストレージコンベア３を両側に配置する場合は、２つのプッシュアーム１５，１５を設け、両側方にそれぞれ独立して進退動作可能に構成する。
【００１９】
往復移動機構１３は、平行配置したストレージコンベア３、３の間でそのフレーム３ａ，３ａをガイドレールとし、モータ駆動のチェーン１７を介して往復移動し、ケーブルラック２１を接続して電力等を供給する。往復移動機構１３の移動量はチェーン１７と噛合するエンコーダ１９を設け、その回転カウント信号に基づいて位置制御する。また、ストレージ部の別の構成例について図４の要部拡大平面図（ａ）とそのＢ矢視図（ｂ）に示すように、一方のストレージコンベア３のローラ３ｂ…をインタラプタとするフォトセンサ２３を設けることにより、ローラ３ｂ…による保管位置と対応して往復移動機構１３の位置制御をすることができる。
【００２０】
並送コンベア７は、ストレージコンベア３と並列配置したローラコンベア等の移送機構であり、移動型押出機構５によってストレージコンベア３の側方に排出された保管対象物Ｗを受けてストレージコンベア３に沿って移送し、このストレージコンベア３とともに移送終端で出庫口コンベア９ｂに臨む。
【００２１】
このように構成されるストレージ部は、入庫口コンベヤ９ａから保管対象物Ｗを受けるとそれを生産者、品種等の区分によりストレージコンベア３…毎に分けて収納保管する。この時、ストレージコンベア３上にその終端から順に一定間隔で保管することができる。出庫の際は、個々の識別データにより必要なものを選択して移動型押出機構５により側方の並送コンベア７上に排出する。出庫するべき保管対象物Ｗは、並送コンベア７により出庫口コンベア９ｂに集合され搬出される。
【００２２】
ストレージ部の具体的な構成例としては、例えば、複層構成のストレージ部の立面図を示す図５のように、移動型押出機構５の両側にストレージコンベア３、３を配置するとともに隣接するストレージコンベア３との間に共用の並送コンベア７を配置し、これを上下複数段、図例では２層、に構成することにより、大きなスペース効率を確保することができる。
【００２３】
つぎに、ストレージコンベア式倉庫システムの整列処理部について説明する。整列処理部は、ストレージ部から出庫口コンベア９ｂによって出庫された保管対象物を受けて出荷に適合するようにその配列を整える工程であり、その基本構成はストレージ部と略同様である。詳細には、整列処理部の構成例の平面図を示す図６のように、整列用ストレージコンベア３１と整列用並送コンベア３３を配置するとともに、整列用ストレージコンベア３１の全長に及び個別動作する整列用押出機構３５を設け、整列用並送コンベア３３は、移送スペースを加えて整列に必要な長さに構成する。
【００２４】
このように構成される整列処理部は、整列用ストレージコンベア３１が出庫口コンベア９ｂから順不同に受けた保管対象物をその移送終端まで順次送り、整列用押出機構３５の選択動作によって出荷配列条件に適合するものを整列用並送コンベア３３で送出することにより、種別、寸法等の出荷配列条件に応じて配列を整えることができる。
【００２５】
以上に述べたストレージ部と整列処理部を備えたストレージコンベア式倉庫システムのレイアウト例を図７に示す。図７において、ストレージコンベア式倉庫システム４１は、図示せぬ集荷ヤードから延びる入庫口コンベヤ９ａによる供給ラインによりストレージ部の複数のストレージコンベア３…に分岐入庫し、このストレージ部の複数の並送コンベア７…を集合する出庫口コンベア９ｂによる排出ラインに連結配置した２つのラインによる整列処理部とから構成される。
【００２６】
ストレージ部は、移動型押出機構５…を中心に複数のストレージコンベア３…に沿って共用の並送コンベア７…を配置し、これらストレージコンベア３…および並送コンベア７…の終端を共に出庫口コンベア９ｂに臨んで配置する。出庫口コンベア９ｂは、整列処理部の２つのラインに分岐する。整列処理部は、交互使用するために２つのラインのそれぞれに、整列用押出機構３５を備えた整列用ストレージコンベア３１と整列用並送コンベア３３を配置して構成し、各ラインの整列用並送コンベア３３の終端に積み出し用カート４３または積込装置を配置する。
【００２７】
上記構成のストレージコンベア式倉庫システム４１は、入庫口コンベヤ９ａから受けた保管対象物を生産者、品種等の区分によりストレージコンベア３…別に保管する。出荷の際は、各ストレージコンベア３…から必要なものを選択して並送コンベア７…に排出し、出庫口コンベア９ｂに集合する。これを待機側ラインの整列用ストレージコンベア３１上に一時留め置いた上で整列用押出機構３５による選択動作と整列用並送コンベア３３の送出動作とによって出荷仕様に沿った配列に整えることができる。このようにして整列された状態で積み出し用カート４３または積込装置により積み出しすることができる。
【図面の簡単な説明】
【図１】発明に係るストレージコンベア式倉庫システムのストレージ部の平面図
【図２】ストレージコンベアの機能構成側面図
【図３】ストレージ部の要部拡大平面図（ａ）とそのＢ矢視図（ｂ）
【図４】構成例によるストレージ部の要部拡大平面図（ａ）とそのＢ矢視図（ｂ）
【図５】複層構成のストレージ部の立面図
【図６】整列処理部の構成例の平面図
【図７】ストレージコンベア式倉庫システムのレイアウト例
【符号の説明】
１　ストレージコンベア式倉庫システム
３　ストレージコンベア
５　移動型押出機構
７　並送コンベア
９ａ　入庫口コンベヤ
９ｂ　出庫口コンベア
１１　移送機構
１１ａ　移送機構（終端部）
１３　往復移動機構
１５　プッシュアーム
１７　チェーン
１９　エンコーダ
２１　ケーブルラック
２３　フォトセンサ
３１　整列用ストレージコンベア
３３　整列用並送コンベア
３５　整列用押出機構
４１　ストレージコンベア式倉庫システム
４３　カート
Ｌ　長さ
【図１】
2004123244.tif 000003
【図２】
2004123244.tif 000004
【図３】
2004123244.tif 000005
【図４】
2004123244.tif 000006
【図５】
2004123244.tif 000007
【図６】
2004123244.tif 000008
【図７】
2004123244.tif 000009